【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
微細構造化表面と、少なくとも前記微細構造化表面の一部に配置された付着化学層とを含むマイクロアレイであって、前記微細構造化表面が壁を有する一次微細構造化要素を含む、マイクロアレイ。
【請求項２】
前記一次微細構造化要素のピッチが約１〜約１，０００マイクロメートルである、請求項１のマイクロアレイ。
【請求項３】
基部表面が前記一次微細構造化要素の壁間に広がり、前記基部がｘ方向の寸法を有する二次微細構造化要素を含む、請求項１のマイクロアレイ。
【請求項４】
反応物質が前記付着化学層に固着される、請求項１のマイクロアレイ。
【請求項５】
サンプル中分析物の検出法であって、
（ａ）請求項４に記載されるマイクロアレイを提供すること、
（ｂ）サンプルが前記反応物質と接触して複合体を形成するように、前記マイクロアレイの少なくとも１つの一次微細構造化要素内へ前記サンプルを堆積させること、
（ｃ）任意の複合体を検出すること、及び
（ｄ）前記複合体の存在又は量と前記サンプル中分析物の存在又は量とを関連付けることを含む方法。
【請求項６】
サンプル中分析物の検出法であって、
（ａ）請求項４に記載されるマイクロアレイを提供すること、
（ｂ）サンプルが前記反応物質と接触して複合体を形成するように、前記マイクロアレイの少なくとも１つの一次微細構造化要素内へ前記サンプルを堆積させること、
（ｃ）前記複合体を第２の反応物質と接触させ三元複合体を形成すること、
（ｄ）任意の三元複合体を検出すること、及び
（ｅ）前記三元複合体の存在又は量と前記サンプル中分析物の存在又は量とを関連付けることを含む方法。
【手続補正２】
【補正対象書類名】明細書
【補正対象項目名】０１０７
【補正方法】変更
【補正の内容】
【０１０７】
本発明の範囲及び趣旨を逸脱しない本発明の様々な変更や改変は、当業者には明らかとなるであろう。本発明は、本明細書で述べる例示的な実施形態及び実施例によって不当に限定されるものではないこと、また、こうした実施例及び実施形態は、本明細書において以下に記述する特許請求の範囲によってのみ限定されることを意図する、本発明の範囲に関する例示のためにのみ提示されることを理解すべきである。
以下に、本願発明に関連する発明の実施の形態を列挙する。
実施形態１
微細構造化表面と、少なくとも前記微細構造化表面の一部に配置された付着化学層とを含むマイクロアレイであって、前記微細構造化表面が壁を有する一次微細構造化要素を含む、マイクロアレイ。
実施形態２
前記付着化学層が前記微細構造化表面上のコーティングである、実施形態１のマイクロアレイ。
実施形態３
前記付着化学層が前記微細構造化表面の官能化部分である、実施形態１のマイクロアレイ。
実施形態４
前記微細構造化表面がポリオレフィンを含む、実施形態１のマイクロアレイ。
実施形態５
前記壁の厚さが約１〜約５０マイクロメートルである、実施形態１のマイクロアレイ。
実施形態６
前記壁の高さが約５〜約２００マイクロメートルである、実施形態１のマイクロアレイ。
実施形態７
前記一次微細構造化要素のピッチが約１〜約１，０００マイクロメートルである、実施形態１のマイクロアレイ。
実施形態８
前記一次微細構造化要素のピッチが約２０〜約２００マイクロメートルである、実施形態７のマイクロアレイ。
実施形態９
前記一次微細構造化要素の体積が約１〜約２０，０００ｐＬである、実施形態１のマイクロアレイ。
実施形態１０
前記一次微細構造化要素が立方体要素である、実施形態１のマイクロアレイ。
実施形態１１
基部表面が前記一次微細構造化要素の壁間に広がり、前記基部がｘ方向の寸法を有する二次微細構造化要素を含む、実施形態１のマイクロアレイ。
実施形態１２
前記二次微細構造化要素のｘ方向の寸法が、前記一次微細構造化要素の壁の高さより少なくとも約５マイクロメートル小さい、実施形態１１のマイクロアレイ。
実施形態１３
前記二次微細構造化要素のｘ方向の寸法が、前記一次微細構造化要素の壁の高さより少なくとも約５０マイクロメートル小さい、実施形態１２のマイクロアレイ。
実施形態１４
前記二次微細構造化要素が１つの壁より次の壁まで広がる、実施形態１１のマイクロアレイ。
実施形態１５
前記付着化学層が連結剤を含む、実施形態１のマイクロアレイ。
実施形態１６
前記連結剤がアズラクトン部分を含む、実施形態１５のマイクロアレイ。
実施形態１７
前記付着化学層が、少なくとも１種のアズラクトン官能性コポリマーを含む架橋ヒドロゲルを含む、実施形態１のマイクロアレイ。
実施形態１８
前記付着化学層がイオン性表面を有する、実施形態１のマイクロアレイ。
実施形態１９
前記付着化学層が、１種以上のイオン性ポリマー類、加水分解アズラクトン部分を含むヒドロゲル、ヒドロゲルに付着した二官能性分子、又は１種以上のイオン性ポリマー類の保護膜を有するヒドロゲルを含む、実施形態１８のマイクロアレイ。
実施形態２０
前記付着化学層がシリコン含有層である、実施形態１のマイクロアレイ。
実施形態２１
前記付着化学層が、連結剤が前記付着化学層に共有結合できるようにシリル化可能である、実施形態２０のマイクロアレイ。
実施形態２２
前記シリコン含有層がカップリング剤又は官能化ポリマーコーティングで官能化される、実施形態２０のマイクロアレイ。
実施形態２３
前記付着化学層がダイヤモンド様ガラス膜である、実施形態２０のマイクロアレイ。
実施形態２４
前記付着化学層が、前記微細構造化表面に結合されたテザリング基を含み、前記テザリング基が、前記微細構造化表面上の相補的な官能基Ｇと式Ｉの化合物との反応生成物を含む、実施形態１のマイクロアレイ。
【化１】
2009518649.tif 000001
（式中、
Ｘ１は、カルボキシ、ハロカルボニル、ハロカルボニルオキシ、シアノ、ヒドロキシ、メルカプト、イソシアナト、ハロシリル、アルコキシシリル、アシルオキシシリル、アジド、アジリジニル、ハロアルキル、三級アミノ、一級芳香族アミノ、二級芳香族アミノ、ジスルフィド、アルキルジスルフィド、ベンゾトリアゾリル、ホスホノ、ホスホロアミド、ホスファト、又はエチレン性不飽和基から選択される基板反応性官能基であり、
Ｙ１は、単結合又は、アルキレン、ヘテロアルキレン、アリーレン、カルボニル、カルボニルオキシ、カルボニルイミノ、オキシ、チオ、−ＮＲｄ−から選択される二価の基であって、Ｒｄは水素又はアルキル、又はこれらの混合物であり、
Ｚ１は、アルキル、アリール、又は−（ＣＯ）Ｒａであり、式中、ＲａはＲ１及びそれらが結合している基と共に、窒素へテロ原子及びイオウへテロ原子を有する４〜８員複素環基又は二環式複素環基を形成し、ここで、当該複素環基又は二環式複素環基が、任意の芳香族基、任意の飽和若しくは不飽和環状基、又は任意の飽和若しくは不飽和二環状基と縮合することができ、
Ｒ１は、アルキル、フルオロアルキル、クロロアルキル、アリール、ＮＲｂＲｃであり、式中、Ｒｂ及びＲｃは、それぞれアルキル基であるか、又はそれらが結合している窒素原子と共に４〜８員環状基を形成しているか、又は、Ｒ１が、Ｒａ及びそれらが結合している基と共に、任意の芳香族基、任意の飽和若しくは不飽和環状基、又は任意の飽和若しくは不飽和二環状基と縮合することができる、４〜８員複素環基又は二環式複素環基を形成し、
Ｘ１が一価の基である場合ｒは１に等しく、Ｘ１が二価の基である場合ｒは２に等しく、
Ｇは、Ｘ１と反応して、イオン結合、共有結合またはそれらの組み合わせを形成可能な相補的な官能基であり、
前記テザリング基が、非置換であるか、またはハロ、アルキル、アルコキシもしくはそれらの組み合わせによって置換されている。）
実施形態２５
前記付着化学層が前記微細構造化表面に結合されたテザリング基を含み、前記テザリング基が、前記微細構造化表面上の相補的な官能基Ｇと式ＩＩの化合物との反応生成物を含む、実施形態１のマイクロアレイ。
【化２】
2009518649.tif 000002
（式中、
Ｘ１は、カルボキシ、ハロカルボニル、ハロカルボニルオキシ、シアノ、ヒドロキシ、メルカプト、イソシアナト、ハロシリル、アルコキシシリル、アシルオキシシリル、アジド、アジリジニル、ハロアルキル、三級アミノ、一級芳香族アミノ、二級芳香族アミノ、ジスルフィド、アルキルジスルフィド、ベンゾトリアゾリル、ホスホノ、ホスホロアミド、ホスファト、又はエチレン性不飽和基から選択される基板反応性官能基であり、
Ｙ２は、単結合又は、アルキレン、ヘテロアルキレン、アリーレン、カルボニル、カルボニルオキシ、カルボニルイミノ、オキシ、チオ、又は−ＮＲａ−、又はこれらの混合物から選択される二価の基であって、Ｒａは水素、アルキル、又はアリールであり、
Ｒ２及びＲ３は、それらが結合したジカルボキシイミド基と共に、任意の芳香族基、任意の飽和若しくは不飽和環状基、又は任意の飽和若しくは不飽和二環状基と縮合することができる、４〜８員複素環基又は二環式複素環基を形成し、
Ｘ１が一価の基である場合ｒは１であり、Ｘ１が二価の基である場合ｒは２に等しく、
Ｇは、Ｘ１と反応可能な相補的な官能基であり、
前記テザリング基が、非置換であるか、またはハロ、アルキル、アルコキシもしくはそれらの組み合わせによって置換されている。）
実施形態２６
前記付着化学層が前記微細構造化表面に結合されたテザリング基を含み、前記テザリング基が、前記微細構造化表面上の相補的な官能基Ｇと式ＩＩＩの化合物との反応生成物を含む、実施形態１のマイクロアレイ。
【化３】
2009518649.tif 000003
（式中、
Ｘ１は、カルボキシ、ハロカルボニル、ハロカルボニルオキシ、シアノ、ヒドロキシ、メルカプト、イソシアナト、ハロシリル、アルコキシシリル、アシルオキシシリル、アジド、アジリジニル、ハロアルキル、三級アミノ、一級芳香族アミノ、二級芳香族アミノ、ジスルフィド、アルキルジスルフィド、ベンゾトリアゾリル、ホスホノ、ホスホロアミド、ホスファト、又はエチレン性不飽和基から選択される基板反応性官能基であり
Ｒ２及びＲ３は、それらが結合したジカルボキシイミド基と共に、任意の芳香族基、任意の飽和若しくは不飽和環状基、又は任意の飽和若しくは不飽和二環状基と縮合することができる、４〜８員複素環基又は二環式複素環基を形成し、
Ｙ１は、単結合又は、アルキレン、ヘテロアルキレン、アリーレン、カルボニル、カルボニルオキシ、カルボニルイミノ、オキシ、チオ、−ＮＲｄ−から選択される二価の基であって、Ｒｄは水素又はアルキル、又はこれらの混合物であり、
Ｒ４は、アルキル、アリール、アラルキル、又は−ＮＲｂＲｃであり、式中、Ｒｂ及びＲｃはそれぞれアルキル基であるか、又はそれらが結合している窒素原子と共に４〜８員複素環基を形成し、
Ｘ１が一価である場合ｒは１に等しく、Ｘ１が二価の基である場合ｒは２に等しく、
Ｇは、Ｘ２と反応可能な相補的な官能基であり、
前記テザリング基が、非置換であるか、またはハロ、アルキル、アルコキシもしくはそれらの組み合わせによって置換されている。）
実施形態２７
前記付着化学層が、引き続く、アミノ酸、核酸、炭水化物、及びタンパク質から成る群から選択される反応物質の固着に好適である、実施形態１のマイクロアレイ。
実施形態２８
前記付着化学層が、ＤＮＡ、酵素、及び抗体から成る群から選択される反応物質のその後の固着に好適である、実施形態２７のマイクロアレイ。
実施形態２９
反応物質が前記付着化学層に固着される、実施形態１のマイクロアレイ。
実施形態３０
自動システムで検知可能な基準印を更に含む、実施形態１のマイクロアレイ。
実施形態３１
実施形態１のマイクロアレイとカバーとを含むキット。
実施形態３２
サンプル中分析物の検出法であって、
（ａ）実施形態２９に記載されるマイクロアレイを提供すること、
（ｂ）サンプルが前記反応物質と接触して複合体を形成するように、前記マイクロアレイの少なくとも１つの一次微細構造化要素内へ前記サンプルを堆積させること、
（ｃ）任意の複合体を検出すること、及び
（ｄ）前記複合体の存在又は量と前記サンプル中分析物の存在又は量とを関連付けることを含む方法。
実施形態３３
サンプル中分析物の検出法であって、
（ａ）実施形態２９に記載されるマイクロアレイを提供すること、
（ｂ）サンプルが前記反応物質と接触して複合体を形成するように、前記マイクロアレイの少なくとも１つの一次微細構造化要素内へ前記サンプルを堆積させること、
（ｃ）前記複合体を第２の反応物質と接触させ三元複合体を形成すること、
（ｄ）任意の三元複合体を検出すること、及び
（ｅ）前記三元複合体の存在又は量と前記サンプル中分析物の存在又は量とを関連付けることを含む方法。